(57)【要約】【目的】  本発明は、一面で自動車の天井や座席等の被着体に取り付けられて、他面でティッシュボックスを適度な密着力で保持することができ、かつ空になったティッシュボックスの取り外した後でも繰り返し利用可能なティッシュボックス保持テープを提供する。【構成】  本発明のティッシュボックス保持テープ１は、先端部が鉤状、鏃状又はマッシュルーム状である係合突起を有する面ファスナー２と、柔軟で自己粘着性を有する多孔性樹脂シート３とが積層してある構成である。【選択図】  図３
2005231632.tif 000002
【特許請求の範囲】
【請求項１】
先端部が鉤状、鏃状又はマッシュルーム状である係合突起を有する面ファスナーと、柔軟で自己粘着性を有する多孔性樹脂シートとが積層してあることを特徴とするティッシュボックス保持テープ。
【請求項２】
多孔性樹脂シートはアスカーＦ硬度が１０〜８０度であり、面ファスナーは５ｃｍ幅に１．５ｋｇｆの荷重を加えたときの伸長率が０．５〜５％であることを特徴とする請求項１記載のティッシュボックス保持テープ。
【請求項３】
面ファスナーと多孔性樹脂シートとの間に、多孔性樹脂シートより柔らかい弾性シートを積層したことを特徴とする請求項１又は２記載のティッシュボックス保持テープ。
【発明の詳細な説明】
【技術分野】
【０００１】
本発明は、自動車の座席や天井等の被着体に市販ティッシュボックスを取り外し可能に保持するためのティッシュボックス保持テープに関する。
【背景技術】
【０００２】
一般に、自動車の室内には、各種備品を収納するための収納装置が用意されているが、ティッシュボックス等のような比較的大きなものを収納するようにされていないのが現状である。したがって、ティッシュボックスは、足元に置かれたり、助手席や後部座席に置かれたりするのであるが、運転手がティッシュを使用しようとする時に取りづらく、また、ティッシュボックスの存在自体が邪魔に感ずることがある。なお、本発明でティッシュボックスとは、２００〜４００枚のティッシュを収納した６面体の容器のことを言う。
【０００３】
このような背景を元に、多くの自動車の天井が面ファスナーと係止可能な編布やパイル生地で形成されていることに着目して、ティッシュボックスの底面や側面に多数のフックを備えた面ファスナーを設け、車内の天井部にティッシュボックスを取り付けることが知られている。
【特許文献１】実用新案第３０３７５２３号公報
【発明の開示】
【発明が解決しようとする課題】
【０００４】
しかしながら、ティッシュボックスに面ファスナーを固定してしまうと、ティッシュを使い果たした後は、ティッシュボックスを破棄する時に面ファスナーも破棄することになり、ティッシュボックスを交換する度に、面ファスナーを用意する必要が生じ不便を感じるものであった。
【０００５】
本発明は、一面で自動車の天井や座席等の被着体に取り付けられて、他面でティッシュボックスを適度な密着力で保持することができ、かつ空になったティッシュボックスの取り外した後でも繰り返し利用可能なティッシュボックス保持テープを提供することを目的とする。
【課題を解決するための手段】
【０００６】
本出願人は、ティッシュボックスの表面には、自己粘着性を有する多孔性樹脂シートが貼り付く程度の表面処理が施されているとの知見を元に本発明を完成させた。すなわち、本発明のティッシュボックス保持テープは、先端部が鉤状、鏃状又はマッシュルーム状である係合突起を有する面ファスナーと、柔軟で自己粘着性を有する多孔性樹脂シートとが積層してある構成である。
【発明の効果】
【０００７】
本発明のティッシュボックス保持テープは、その一面側の多孔性樹脂シートをティッシュボックスの底面や側面に押し付けることで密着効果によりティッシュボックスに取り付けられ、その後、他面側の面ファスナーによって自動車の天井等の被着体に係止されることで、ティッシュボックスを天井等に保持するものである。ティッシュを使い果たした後は、例えば、天井から空のティッシュボックスとティッシュボックス保持テープとを一緒に引き剥がした後、ティッシュボックスからティッシュボックス保持テープを引き剥がすことにより、本発明のティッシュボックス保持テープは繰り返し利用される。
【発明を実施するための最良の形態】
【０００８】
以下、本発明を図面を用いて具体的に説明する。本発明のティッシュボックス保持テープ（以下単に保持テープという）１や保持テープ１１は、図１に示すようにティッシュボックスの底面等に取り付けらる。保持テープを取り付けたティッシュボックス６は、保持テープによって自動車の天井や座席等の被着体に保持される。
【０００９】
保持テープ１は、図２に示すように、少なくとも面ファスナー２と多孔性樹脂シート３を積層した構造である。具体的には、面ファスナー２と多孔性樹脂シート３とは接着剤又は両面テープを介して積層されており、さらに多孔性樹脂シート３はセパレータ５によってカバーされて塵埃などが付着しないようにされている。セパレータ５としてはポリエチレンテレフタレート（ＰＥＴ）フィルムやシリコン離型紙等を用いる。
【００１０】
面ファスナー２は、編布やパイル生地に係止することが可能なように先端部が鉤状、鏃状又はマッシュルーム状に形成された係合突起を備えたものである。また、面ファスナー２は、ティッシュボックスより保持テープを引き剥がす時に多孔性樹脂シートが変形したり破断したりしないようにするために、同一荷重で引っ張った場合に多孔性樹脂シートより伸びないものを用いる。具体的には、面ファスナー２は、５ｃｍ幅に１．５ｋｇｆの荷重で引っ張った時の伸長率が０．５〜５％であるものを用いる。０．５％未満では面ファスナーの柔軟性が損なわれ、５％を超えると引き剥がし時に保持テープが変形する傾向にある。
【００１１】
多孔性樹脂シート３は、機械発泡させた合成樹脂エマルジョンをドクターコータ等のコーティング装置でＰＥＴフィルム等のセパレータ５の上に固化後の厚さ０．５〜３ｍｍ、固化後の空隙率３０〜８０％になるようにコーティングして加熱乾燥することで作製される。このようにして作製される多孔性樹脂シートは、それぞれの気泡が隣接する気泡や外部と連通しているので多少の凹凸にも追従しやすい柔軟性を有し、そのためにティッシュボックスとの十分な密着効果を有す。発泡機としてはオークスミキサー等が利用される。合成樹脂エマルジョンは、アクリル樹脂、エチレン酢酸ビニル樹脂、塩化ビニル樹脂、ウレタン樹脂等のエマルジョンに、整泡剤、架橋剤、粘度調整剤、充填材等を添加したものが利用される。エマルジョンは例えば市販の「ボンコート３５０」（大日本インキ化学工業製）、「Ｆ４３９Ｃ」（イーテック製）等を用いることもできる。
【００１２】
また、多孔性樹脂シート３は、保持テープよりティッシュボックスを垂直に引き剥がそうとした時にティッシュボックスの自重の約４倍以上の密着力、すなわち市販のティッシュボックスの重量は２５０ｇ程度であるので１０Ｎ以上の密着力を有するものとする。具体的にはティッシュボックス６と多孔性樹脂シート３との密着力（密着面に対して垂直に引き剥がそうとした場合の密着力）を０．１〜１Ｎ／ｃｍ２とすることで、ティッシュボックスは保持テープより自重で落下することがないし、かつ容易に保持テープをティッシュボックス６から引き剥がすことができる。多孔性樹脂シートとティッシュボックスとの密着力を上述とするために、多孔性樹脂シートの硬度は１０〜８０度（アスカーＦ）に設定すると良い。多孔性樹脂シートは、硬度が低いと密着効果が増大し過ぎるとともに伸びやすくなるのでティッシュボックスより引き剥がす時に破断する傾向にあり、硬度が高いとティッシュボックス表面の僅かな凹凸に追従できずに十分な密着効果が発現しない傾向にある。
【００１３】
図２に本発明の別の態様の保持テープ１１を示す。保持テープ１１は、保持テープ１に弾性シート４を追加した構成である。具体的には、面ファスナー２と多孔性樹脂シート３との間に軟質フォームや不織布等の弾性シート４を積層したものである。弾性シートはアスカーＦ硬度が１０度未満のものを用いる。このような弾性シートを追加することによって保持テープ１１は曲面を有する天井等の被着体に対応しやすくなる。なお、弾性シートの硬さは曲面に対応しやすいように２０〜２００Ｎとすると良い。弾性シートの厚さは２〜２０ｍｍとすると良い。
【００１４】
本発明の保持テープ１、１１の大きさは、ティッシュボックスを保持しやすいように１００ｃｍ２以上の面積とすると良い。
【実施例１】
【００１５】
（多孔性樹脂体の作製）アクリル酸エチル、アクリル酸ｎ−ブチル、メタクリル酸、１，３−ブタジエンを水中にて乳化重合して得られたアクリル系エマルジョンに、整泡剤、架橋剤、粘度調整剤、充填材、着色剤を添加して合成樹脂エマルジョンを調製し、これを機械発泡し、固化後の厚さ１．０ｍｍ、固化後の空隙率５０％になるようにセパレータ５上にドクターナイフコーティングして乾燥、固化して多孔性樹脂シート３を作製した。この多孔性樹脂シートのアスカーＦ硬度は、１０ｍｍ厚になるように１０枚重ねて測定したところ４０度であった。
【００１６】
面ファスナー２は、マッシュルーム状係合突起のクラレ社製マジタッチ（登録商標）を用いた。このものの伸長度（ＪＩＳ  Ｌ−１０９６のＢ法（定荷重法）に準拠して測定）はタテ、ヨコとも２％であった。
【００１７】
弾性シート４は、密度２０ｋｇ／ｍ３、硬さ（ＪＩＳ  Ｋ６４００に準拠して測定）５０Ｎ、厚さ５ｍｍの軟質ポリウレタンフォームを用いた。そして、上記で作製したセパレータ付き多孔性樹脂シート６、面ファスナー２、弾性シート４を両面テープを用いて積層し、図３に示す保持テープ１１を作製した。
【００１８】
このようにして作製した保持テープ１１を、セパレータ５を剥がしてティッシュボックスの底面に貼り付け、保持テープ１１の面ファスナーで自動車の天井に係止させたところティッシュボックスを天井に保持することができた。また、保持テープ１１はティッシュボックスから容易に引き剥がせるもので保持テープ１１が変形することもなかった。なお、保持テープ１１とティッシュボックス６との密着力は０．５Ｎ／ｃｍ２であった。また、この保持テープ１１は、弾性シート４を含んでいるので天井の表面が多少の曲面であってもティッシュボックスを保持することができた。
（密着力の測定方法）保持テープ（５×５ｃｍ）をティッシュボックスに密着させ、ガラス板に貼り付けたカットパイルを保持テープの面ファスナーに係止させ、ガラス板をティッシュボックスより垂直に引き離した時に保持テープがティッシュボックスから剥離する時の力を計測して、単位面積当たりの密着力を算出した。
【図面の簡単な説明】
【００１９】
【図１】本発明のティッシュボックス保持テープをティッシュボックスに貼り付けた状態を示す斜視図。
【図２】本発明のティッシュボックス保持テープの断面図。
【図３】本発明の他のティッシュボックス保持テープの断面図。
【符号の説明】
【００２０】
１    ティッシュボックス保持テープ
２    面ファスナー
３    多孔性樹脂シート
４    弾性シート
５    セパレータ
６    ティッシュボックス
１１  ティッシュボックス保持テープ
【図１】
2005231632.tif 000003
【図２】
2005231632.tif 000004
【図３】
2005231632.tif 000005